(57)【要約】【課題】エンジンの迅速始動とエミッション性能の向上との両立を図る。【解決手段】ＥＣＵ５０は、所定の自動停止条件が成立したときにエンジンを自動停止させる一方、自動停止後に所定の再始動条件が成立したときにスタータモータ３４によりクランク軸７を回転させつつインジェクタ１５による燃料噴射を行うことによってエンジンを再始動させる自動停止制御部５１及び再始動制御部５２を備えている。自動停止制御部５１及び再始動制御部５２は、エンジンの再始動の際に触媒３１ａの活性状態が所定の活性状態よりも低いときには、複数の気筒２Ａ〜２Ｄのうち自動停止時に吸気行程にある気筒から燃焼を開始させ、エンジンの再始動の際に触媒３１ａの活性状態が所定の活性状態よりも高いときには、複数の気筒２Ａ〜２Ｄのうち自動停止時に圧縮行程にある気筒から燃焼を開始させる。【選択図】図１
2015048826.tif 000002
【特許請求の範囲】
【請求項１】
複数の気筒と、クランク軸を回転させるスタータモータと、該気筒のそれぞれに燃料を噴射するインジェクタと、酸化機能を有し、該気筒から排出されるガスを浄化する触媒とを有するエンジンの始動制御装置であって、
所定の自動停止条件が成立したときに前記エンジンを自動停止させる一方、自動停止後に所定の再始動条件が成立したときに前記スタータモータにより前記クランク軸を回転させつつ前記インジェクタによる燃料噴射を行うことによって該エンジンを再始動させる制御部を備え、
前記制御部は、
前記エンジンの再始動の際に前記触媒の活性状態が所定の活性状態よりも高いときには、前記複数の気筒のうち自動停止時に圧縮行程にある気筒から燃焼を開始させ、
前記エンジンの再始動の際に前記触媒の活性状態が前記所定の活性状態よりも低いときには、前記複数の気筒のうち自動停止時に吸気行程にある気筒から燃焼を開始させるエンジンの始動制御装置。
【請求項２】
請求項１に記載のエンジンの始動制御装置において、
前記エンジンは、前記気筒内の混合気を圧縮着火させるように構成されており、
圧縮着火による燃焼の燃焼重心のクランク角位置は、圧縮上死点以降に設定されているエンジンの始動制御装置。
【請求項３】
請求項１又は２に記載のエンジンの始動制御装置において、
前記制御部は、
前記エンジンの再始動の際に前記触媒の活性状態が前記所定の活性状態よりも高いときであって且つ自動停止時に圧縮行程にある前記気筒のピストン停止位置が所定のクランク角位置か又は該所定のクランク角位置よりも圧縮下死点側に位置するときに、自動停止時に圧縮行程にある該気筒から燃焼を開始させ、
前記エンジンの再始動の際に前記触媒の活性状態が前記所定の活性状態よりも高いときであって且つ自動停止時に圧縮行程にある前記気筒のピストン停止位置が前記所定のクランク角位置よりも圧縮上死点側に位置するときには、自動停止時に吸気行程にある前記気筒から燃焼を開始させるエンジンの始動制御装置。
【発明の詳細な説明】
【技術分野】
【０００１】
ここに開示された技術は、多気筒エンジンの始動制御装置に関するものである。
【背景技術】
【０００２】
従来より、所定の自動停止条件が成立したときにエンジンを自動停止し、その後、所定の再始動条件が成立したときにエンジンを再始動させるエンジンの始動制御装置が知られている。
【０００３】
例えば、特許文献１に係るエンジンの始動制御装置は、自動停止時に圧縮行程で停止した気筒に最初の燃焼を行わせることによって再始動を行っている。具体的には、このエンジンの始動制御装置は、自動停止時に圧縮行程で停止した気筒での自着火の可否を車両の運転状態に基づいて判断し、自着火が可能と判断したときに、自動停止時に圧縮行程で停止した気筒に最初の燃焼を行わせて再始動を行う。自動停止時に圧縮行程で停止した気筒に最初の燃焼を行わせることによって、エンジンの迅速始動を図っている。
【先行技術文献】
【特許文献】
【０００４】
【特許文献１】特開２００９−０６２９６０号公報
【発明の概要】
【発明が解決しようとする課題】
【０００５】
ところが、自動停止時に圧縮行程で停止した気筒ではピストンが圧縮下死点で停止しているわけではないので、圧縮容積が小さく、圧縮端における気筒内温度が低くなる。その結果、燃焼温度が低くなり、ＨＣ，ＣＯが増加する虞がある。また、エンジンの再始動時には触媒が十分に活性していない虞もある。そのような場合には、エミッション性能が悪化してしまう。
【０００６】
ここに開示された技術は、かかる点に鑑みてなされたものであり、その目的とするところは、エンジンの迅速始動とエミッション性能の向上との両立を図ることにある。
【課題を解決するための手段】
【０００７】
ここに開示された技術は、複数の気筒と、クランク軸を回転させるスタータモータと、該気筒のそれぞれに燃料を噴射するインジェクタと、酸化機能を有し、該気筒から排出されるガスを浄化する触媒とを有するエンジンの始動制御装置が対象である。そして、このエンジンの始動制御装置は、所定の自動停止条件が成立したときに前記エンジンを自動停止させる一方、自動停止後に所定の再始動条件が成立したときに前記スタータモータにより前記クランク軸を回転させつつ前記インジェクタによる燃料噴射を行うことによって該エンジンを再始動させる制御部を備え、前記制御部は、前記エンジンの再始動の際に前記触媒の活性状態が所定の活性状態よりも高いときには、前記複数の気筒のうち自動停止時に圧縮行程にある気筒（以下、「停止時圧縮行程気筒」ともいう）から燃焼を開始させ、前記エンジンの再始動の際に前記触媒の活性状態が前記所定の活性状態よりも低いときには、前記複数の気筒のうち自動停止時に吸気行程にある気筒（以下、「停止時吸気行程気筒」ともいう）から燃焼を開始させるものとする。
【０００８】
前記の構成によれば、停止時圧縮行程気筒では、自動停止時には、ピストンが圧縮下死点に停止しているとは限らず、圧縮下死点よりも進んだ位置に停止していることが多いので、再始動時に圧縮行程を行う際には圧縮容積が小さくなる傾向にある。圧縮容積が小さいと、圧縮端における気筒内温度が低くなり、燃焼温度も低下する。
【０００９】
そこで、触媒の活性状態が高いときには、再始動時に停止時圧縮行程気筒から燃焼を開始させる。停止時圧縮行程気筒では燃焼温度が低く、ＨＣ，ＣＯの発生量が増加する可能性があるが、触媒の活性が高いので、エンジン全体としてのエミッション性能の低下を防止することができる。また、停止時圧縮行程気筒から燃焼を開始させることで、エンジンを迅速に始動させることができ、ひいては、触媒の早期活性化に寄与することもできる。
【００１０】
一方、触媒の活性状態が低いと、触媒のＨＣ，ＣＯの浄化性能が低下する。そのため、触媒の活性状態が低いときには、燃焼温度が低い停止時圧縮行程気筒での燃焼を避けて、停止時吸気行程気筒から燃焼を開始させる。停止時吸気行程気筒は、圧縮容積を十分に確保できるため、圧縮端における気筒内の温度が高く、燃焼温度も高くなる。また、停止時吸気行程気筒中のガスは、エンジンの熱で温められている。さらに、エンジンの停止中には、吸気通路及びサージタンク中の新気もエンジンの熱で温められている。再始動時に停止時吸気行程気筒に吸入される新気は、こうして温められた新気である。つまり、停止時吸気行程気筒中のガスの温度は、比較的高い。このことによっても、停止時吸気行程気筒の燃焼温度は高くなる。
【００１１】
このように、停止時吸気行程気筒の燃焼温度が高いため、気筒でのＨＣ，ＣＯの発生量自体を低減することができ、エミッション性能を向上させることができる。それに加えて、燃焼温度が高いので、触媒を早期に活性化させることができる。
【００１２】
尚、触媒の活性状態が低いときには、停止時圧縮行程気筒で燃焼を行わない分だけ、発生する熱量が少ない。しかしながら、停止時圧縮行程気筒は、新気の量が少ないので燃料量も少なく、その結果、発生する熱量も少ない。つまり、停止時圧縮行程気筒での燃焼を行わないとしても、触媒の活性化に与える影響は比較的小さい。それよりも、停止時圧縮行程気筒での燃焼を行わないことによる、エミッション性能の向上の効果の方が大きい。
【００１３】
こうして、エンジンの迅速始動とエミッション性能の向上との両立を図ることができる。
【００１４】
また、前記エンジンは、前記気筒内の混合気を圧縮着火させるように構成されており、圧縮着火による燃焼の燃焼重心のクランク角位置は、圧縮上死点以降に設定されていてもよい。
【００１５】
前記の構成によれば、前記エンジンは圧縮自己着火するので、拡散燃焼等をするエンジンと比較して、燃焼重心における出力トルクが大きくなる。それに加えて、燃焼重心を圧縮上死点以降に設定することによって、燃焼エネルギを出力トルクへ効率良く変換することができる。このようなエンジンを用いることによって、当量比低減制御によりリーンな運転条件下で燃焼を行わせる場合であっても、出力トルクを確保することができる。
【００１６】
また、前記制御部は、前記エンジンの再始動の際に前記触媒の活性状態が前記所定の活性状態よりも高いときであって且つ自動停止時に圧縮行程にある前記気筒のピストン停止位置が所定のクランク角位置か又は該所定のクランク角位置よりも圧縮下死点側に位置するときに、自動停止時に圧縮行程にある該気筒から燃焼を開始させ、前記エンジンの再始動の際に前記触媒の活性状態が前記所定の活性状態よりも高いときであって且つ自動停止時に圧縮行程にある前記気筒のピストン停止位置が前記所定のクランク角位置よりも圧縮上死点側に位置するときには、自動停止時に吸気行程にある前記気筒から燃焼を開始させるようにしてもよい。
【００１７】
つまり、ピストンの停止位置によっては、再始動時に停止時圧縮行程気筒において十分な圧縮容積を確保できない場合があり得る。そのため、制御部は、エンジンの再始動の際に触媒の活性状態が高い場合であっても、停止時圧縮行程気筒の自動停止後のピストン停止位置に応じて停止時圧縮行程気筒での燃焼を実現できるか否かを判定し、燃焼を実現できる場合には停止時圧縮行程気筒から燃焼を開始する一方、燃焼を実現が困難な場合には停止時圧縮行程気筒では燃焼を実行せず、停止時吸気行程気筒から燃焼を開始する。例えば、所定のクランク角位置は、燃焼を実現可能な圧縮容積を確保できるクランク角に設定され得る。
【発明の効果】
【００１８】
前記エンジンの始動制御装置によれば、エンジンの迅速始動とエミッション性能の向上との両立を図ることができる。
【図面の簡単な説明】
【００１９】
【図１】実施形態にかかる始動制御装置が適用された予混合圧縮着火式エンジンの全体構成を示す図である。
【図２】エンジンの自動停止・再始動制御のフローチャートの前半部分である。
【図３】エンジンの自動停止・再始動制御のフローチャートの後半部分である。
【図４】自動停止制御が終了した後のエンジンの各気筒の状態を示す図である。
【図５】エンジンを１圧縮始動する際に行われる燃料噴射の順序を示す図である。
【図６】エンジンを２圧縮始動する際に行われる燃料噴射の順序を示す図である。
【図７】φ−Ｔマップである。
【図８】混合気の当量比φと、触媒を通過する前の排気ガス中に含まれるＨＣ，ＣＯ，ＮＯｘの濃度（ｐｐｍ）との関係を示すグラフである。
【発明を実施するための形態】
【００２０】
以下、例示的な実施形態を図面に基づいて詳細に説明する。
【００２１】
〈エンジンの全体構成〉
図１は、実施形態にかかる始動制御装置が適用された予混合圧縮着火式エンジンの全体構成を示す図である。本図に示されるエンジンは、走行用の動力源として車両に搭載される４サイクルのガソリンエンジンである。具体的に、このエンジンは、紙面に直交する方向に列状に並ぶ複数の気筒２Ａ〜２Ｄ（後述する図４も参照）を有する直列４気筒型のエンジン本体１と、エンジン本体１に空気を導入するための吸気通路２８と、エンジン本体１で生成された排気ガスを排出するための排気通路２９とを有している。
【００２２】
エンジン本体１は、複数の気筒２Ａ〜２Ｄが内部に形成されたシリンダブロック３と、シリンダブロック３の上部に設けられたシリンダヘッド４と、各気筒２Ａ〜２Ｄに往復摺動可能に挿入されたピストン５とを有している。
【００２３】
ピストン５の上方には燃焼室６が形成されており、この燃焼室６には、後述するインジェクタ１５からの噴射によって燃料が供給される。そして、噴射された燃料が燃焼室６で燃焼し、その燃焼による膨張力で押し下げられたピストン５が上下方向に往復運動する。なお、当実施形態のエンジンはガソリンエンジンであるため、燃料としてはガソリンが用いられる。ただし、燃料の全てがガソリンである必要はなく、例えばアルコール等の副成分が燃料に含まれていてもよい。
【００２４】
ピストン５は、エンジン本体１の出力軸であるクランク軸７と図外のコネクティングロッドを介して連結されており、上記ピストン５の往復運動に応じてクランク軸７が中心軸回りに回転するようになっている。
【００２５】
各気筒２Ａ〜２Ｄの幾何学的圧縮比、つまり、ピストン５が下死点にあるときの燃焼室６の容積とピストン５が上死点にあるときの燃焼室６の容積との比は、１８以上５０以下に設定されている。これにより、燃焼室６を大幅に高温・高圧化することができ、ガソリンを自着火により燃焼させるＨＣＣＩ燃焼（予混合圧縮着火燃焼）を実現することができる。
【００２６】
ここで、図示のような４サイクルかつ直列４気筒型のエンジンでは、各気筒２Ａ〜２Ｄに設けられたピストン５が、クランク角で１８０°（１８０°ＣＡ）の位相差をもって上下運動する。このため、エンジンの通常運転時、各気筒２Ａ〜２Ｄでの燃焼（そのための燃料噴射）のタイミングは、基本的に１８０°ＣＡずつ位相をずらしたタイミングに設定される。具体的に、紙面手前側から奥側に向けて気筒が２Ａ，２Ｂ，２Ｃ，２Ｄの順に並んでいるものとし、これらの気筒番号をそれぞれ１番、２番、３番、４番とすると、１番気筒２Ａ→３番気筒２Ｃ→４番気筒２Ｄ→２番気筒２Ｂの順に燃焼が行われる（後述する図５等も参照）。このため、例えば１番気筒２Ａが膨張行程であれば、３番気筒２Ｃ、４番気筒２Ｄ、２番気筒２Ｂは、それぞれ、圧縮行程、吸気行程、排気行程となる。
【００２７】
シリンダヘッド４には、吸気通路２８から供給される空気を各気筒２Ａ〜２Ｄの燃焼室６に導入するための吸気ポート９と、各気筒２Ａ〜２Ｄの燃焼室６で生成された排気ガスを排気通路２９に導出するための排気ポート１０と、吸気ポート９の燃焼室６側の開口を開閉する吸気弁１１と、排気ポート１０の燃焼室６側の開口を開閉する排気弁１２とが設けられている。
【００２８】
吸気弁１１および排気弁１２は、それぞれ、シリンダヘッド４に配設された一対のカム軸等を含む動弁機構１３，１４により、クランク軸７の回転に連動して開閉駆動される。
【００２９】
シリンダヘッド４には、燃焼室６に向けて燃料（ガソリン）を噴射するインジェクタ１５と、インジェクタ１５から噴射された燃料と空気との混合気に対し火花放電による点火エネルギを供給する点火プラグ１６とが、各気筒２Ａ〜２Ｄにつきそれぞれ１組ずつ設けられている。ただし、当実施形態のエンジンは、混合気をピストン５の圧縮により自着火させるＨＣＣＩ燃焼を基本とするため、点火プラグ１６は、ＨＣＣＩ燃焼が不可能かまたは困難な状況（例えばエンジン冷却水の温度がかなり低いとき）でのみ作動し、ＨＣＣＩ燃焼の実行時には基本的に点火プラグ１６の作動は休止される。
【００３０】
インジェクタ１５は、ピストン５の上面を臨むような姿勢でシリンダヘッド４に設けられている。各気筒２Ａ〜２Ｄのインジェクタ１５にはそれぞれ燃料供給管１７が接続されており、各燃料供給管１７を通じて供給される燃料（ガソリン）が、インジェクタ１５の先端部に設けられた複数の噴孔（図示省略）から噴射されるようになっている。
【００３１】
より具体的に、燃料供給管１７の上流側には、エンジン本体１により駆動されるプランジャー式のポンプ等からなるサプライポンプ１８が設けられているとともに、このサプライポンプ１８と燃料供給管１７との間には、全気筒２Ａ〜２Ｄに共通の蓄圧用のコモンレール（図示省略）が設けられている。そして、このコモンレール内で蓄圧された燃料が各気筒２Ａ〜２Ｄのインジェクタ１５に供給されることにより、各インジェクタ１５からは、２０ＭＰａ以上の高い圧力で燃料が噴射可能とされている。
【００３２】
クランク軸７には、ベルト等を介してオルタネータ３２が連結されている。このオルタネータ３２は、図外のフィールドコイルへの印加電流（フィールド電流）を制御して発電量を調節するレギュレータ回路を内蔵しており、車両の電気負荷やバッテリの残容量等から定められる目標発電量に基づいてフィールド電流を調節しつつ、クランク軸７から駆動力を得て発電を行う。
【００３３】
シリンダブロック３には、エンジンを始動するためのスタータモータ３４が設けられている。このスタータモータ３４は、モータ本体３４ａと、モータ本体３４ａにより回転駆動されるピニオンギア３４ｂとを有している。ピニオンギア３４ｂは、クランク軸７の一端部に連結されたリングギア３５と離接可能に噛合している。そして、スタータモータ３４を用いてエンジンを始動する際には、ピニオンギア３４ｂが所定の噛合位置に移動してリングギア３５と噛合し、ピニオンギア３４ｂの回転力がリングギア３５に伝達されることにより、クランク軸７が回転駆動される。
【００３４】
吸気通路２８は、１本の共通通路部２８ｃと、共通通路部２８ｃの下流端部に接続された所定容積のサージタンク２８ｂと、サージタンク２８ｂから下流側に延びて各気筒２Ａ〜２Ｄの吸気ポート９とそれぞれ連通する複数本の独立通路部２８ａ（図１にはそのうちの１本のみを示す）とを有している。
【００３５】
吸気通路２８の共通通路部２８ｃには、その内部の流通断面積を可変とするためのスロットル弁３０が設けられている。スロットル弁３０は、運転者により踏み込み操作されるアクセルペダル３６の開度と非連動で操作可能なように、電動式とされている。すなわち、スロットル弁３０は、共通通路部２８ｃの内部に設けられたバタフライ式の弁本体と、この弁本体を開閉駆動する電動式のアクチュエータとを有している。
【００３６】
排気通路２９は、その詳しい図示を省略するが、各気筒２Ａ〜２Ｄの排気ポート１０と連通する複数本の独立通路部と、独立通路部の各下流端部が集合した排気集合部と、排気集合部から下流側に延びる１本の共通通路部とを有している。
【００３７】
排気通路２９（より詳しくはその共通通路部）には触媒コンバータ３１が設けられている。触媒コンバータ３１は、例えば三元触媒等からなる触媒３１ａを内蔵しており、排気通路２９を通過する排気ガス中に含まれる有害成分（ＨＣ、ＣＯ、ＮＯｘ）を触媒３１ａの作用により浄化する機能を有している。尚、触媒３１ａは、三元触媒に限られず、少なくとも酸化機能を有する触媒であればよい。
【００３８】
〈制御系〉
次に、エンジンの制御系について説明する。当実施形態のエンジンは、その各部がＥＣＵ（エンジン制御ユニット）５０によって統括的に制御される。ＥＣＵ５０は、周知のとおり、ＣＰＵ、ＲＯＭ、ＲＡＭ等を含むマイクロプロセッサからなるものである。ＥＣＵ５０は、エンジンの始動制御装置の一例である。
【００３９】
エンジンもしくは車両には、その各部の状態量を検出するための複数のセンサが設けられており、各センサからの情報がＥＣＵ５０に入力されるようになっている。
【００４０】
例えば、シリンダブロック３やシリンダヘッド４の内部には、冷却水が流通する図外のウォータジャケットが設けられており、このウォータジャケット内の冷却水の温度を検出する水温センサＳＮ１が、シリンダブロック３に設けられている。
【００４１】
また、シリンダブロック３には、クランク軸７の回転角度および回転速度を検出するクランク角センサＳＮ２が設けられている。このクランク角センサＳＮ２は、クランク軸７と一体に回転するクランクプレート２５の回転に応じてパルス信号を出力するものであり、このパルス信号に基づいて、クランク軸７の回転角度（クランク角）および回転速度（エンジン回転速度）が検出されるようになっている。
【００４２】
シリンダヘッド４には、気筒判別情報を出力するためのカム角センサＳＮ３が設けられている。すなわち、カム角センサＳＮ３は、カムシャフトと一体に回転するシグナルプレートの歯の通過に応じてパルス信号を出力するものであり、この信号と、クランク角センサＳＮ２からのパルス信号とに基づいて、どの気筒が何行程にあるのかが判別されるようになっている。
【００４３】
吸気通路２８のサージタンク２８ｂには、エンジン本体１の各気筒２Ａ〜２Ｄに吸入される空気の量（吸入空気量）を検出するエアフローセンサＳＮ４が設けられている。
【００４４】
触媒コンバータ３１には、その内部の触媒３１ａの温度を検出する触媒温度センサＳＮ５が設けられている。
【００４５】
また、車両には、その走行速度（車速）を検出する車速センサＳＮ６と、アクセルペダル３６の開度（アクセル開度）を検出するアクセル開度センサＳＮ７と、ブレーキペダル３７のＯＮ／ＯＦＦ（ブレーキの有無）を検出するブレーキセンサＳＮ８と、バッテリ（図示省略）の残容量を検出するバッテリセンサＳＮ９と、車室内の温度を検出する室温センサＳＮ１０とが設けられている。
【００４６】
ＥＣＵ５０は、これらのセンサＳＮ１〜ＳＮ１０と電気的に接続されており、それぞれのセンサから入力される信号に基づいて、上述した各種情報（エンジンの冷却水温、クランク角、回転速度など）を取得する。
【００４７】
また、ＥＣＵ５０は、各センサＳＮ１〜ＳＮ１０からの入力信号に基づいて種々の判定や演算等を実行しつつ、エンジンの各部を制御する。すなわち、ＥＣＵ５０は、インジェクタ１５、点火プラグ１６、スロットル弁３０、オルタネータ３２、およびスタータモータ３４と電気的に接続されており、上記演算の結果等に基づいて、これらの機器にそれぞれ駆動用の制御信号を出力する。
【００４８】
ＥＣＵ５０のより具体的な機能について説明する。ＥＣＵ５０は、いわゆるアイドリングストップ制御に関わる特有の機能的要素として、自動停止制御部５１および再始動制御部５２を有している。自動停止制御部５１及び再始動制御部５２が制御部の一例である。
【００４９】
自動停止制御部５１は、エンジンの運転中に、予め定められたエンジンの自動停止条件が成立したか否かを判定し、成立した場合に、エンジンを自動停止させる制御を実行するものである。
【００５０】
再始動制御部５２は、エンジンが自動停止した後、予め定められた再始動条件が成立したか否かを判定し、成立した場合に、エンジンを自動的に再始動させる制御を実行するものである。
【００５１】
〈自動停止・再始動制御〉
次に、エンジンの自動停止・再始動制御を司るＥＣＵ５０の具体的な制御手順について、図２および図３のフローチャートを用いて説明する。  このフローチャートに示す処理がスタートすると、ＥＣＵ５０は、各種センサ値を読み込む処理を実行する（ステップＳ１）。具体的には、水温センサＳＮ１、クランク角センサＳＮ２、カム角センサＳＮ３、エアフローセンサＳＮ４、触媒温度センサＳＮ５、車速センサＳＮ６、アクセル開度センサＳＮ７、ブレーキセンサＳＮ８、バッテリセンサＳＮ９、および室温センサＳＮ１０からそれぞれの検出信号を読み込み、これらの信号に基づいて、エンジンの冷却水温、クランク角、回転速度、気筒判別情報、吸入空気量、触媒３１ａの温度、車速、アクセル開度、ブレーキの有無、バッテリの残容量、車室内温度等の各種情報を取得する。
【００５２】
次いで、ＥＣＵ５０の自動停止制御部５１は、ステップＳ１で取得された情報に基づいて、エンジンの自動停止条件が成立しているか否かを判定する処理を実行する（ステップＳ２）。例えば、車両が停止状態にあること、アクセルペダル３６の開度がゼロであること（アクセルＯＦＦ）、ブレーキペダル３７が踏み込まれていること（ブレーキＯＮ）、エンジンの冷却水温が所定値以上であること（つまり暖機がある程度進んでいること）、バッテリの残容量が所定値以上であること、エアコンの負荷（車室内温度とエアコンの設定温度との差）が比較的少ないこと、等の複数の要件が全て揃ったときに、自動停止条件が成立したと判定する。尚、この自動停止条件は、一例であり、これ以外の条件を自動停止条件としてもよい。
【００５３】
自動停止条件の成立判定では、車速やアクセル／ブレーキ操作だけでなく、バッテリやエアコン、エンジンの冷却水温（暖機の程度）についても考慮される。これは、エンジンを自動停止した後の再始動性などを考慮してのものである。例えば、エンジンが冷間状態にあったり、バッテリの残容量が極端に少ない時などは、エンジンを自動停止させた後、エンジンを再始動させることが困難になる虞がある。また、車室内の温度とエアコンの設定温度との差が大きい、つまりエアコンの負荷が大きい場合には、エアコンを継続的に稼動させる必要がある。そのため、このような場合には、エンジンを自動停止することなく、作動させておくようにしている。このようなシステム上の制約から、自動停止条件には、バッテリやエアコン等の要件が含まれている。
【００５４】
ステップＳ２でＹＥＳと判定されて自動停止条件が成立したことが確認された場合、自動停止制御部５１は、スロットル弁３０の開度を、アイドル運転時に設定される通常の開度から、所定の低開度（例えば０％）まで低下させる処理を実行する（ステップＳ３）。
【００５５】
次いで、自動停止制御部５１は、インジェクタ１５からの燃料の噴射を停止する燃料カットの処理を実行する（ステップＳ４）。すなわち、各気筒２Ａ〜２Ｄのインジェクタ１５から噴射すべき燃料の量である目標噴射量をゼロに設定し、全てのインジェクタ１５からの燃料噴射を停止することにより、燃料カットを実現する。
【００５６】
燃料カットの後、エンジンは惰性で回転し、最終的に完全停止に至る。スロットル弁３０の閉動作及び燃料カットのタイミングを、エンジンの回転速度に応じて適宜設定することによって、ピストンの停止位置を或る程度の範囲に制御することができる。それに加えて、オルタネータ制御によりエンジンの回転速度を制御することによって、ピストンの停止位置をさらに精度良く制御することもできる。
【００５７】
その後、自動停止制御部５１は、エンジンの回転速度が０ｒｐｍであるか否かを判定する処理を実行する（ステップＳ５）。そして、ここでＹＥＳとなってエンジンが完全停止していることが確認されると、自動停止制御部５１は、スロットル弁３０の開度を所定の高開度（例えば８０％）まで増大させる処理を実行する（ステップＳ６）。
【００５８】
以上のような自動停止制御が終了した後のエンジンの各気筒２Ａ〜２Ｄの状態を、図４に例示する。この図４の例では、１番気筒２Ａが膨張行程で停止し、２番気筒２Ｂが排気行程で停止し、３番気筒２Ｃが圧縮行程で停止し、４番気筒２Ｄが吸気行程で停止している。なお、以下では、自動停止制御によって○○行程で停止した気筒のことを、「停止時○○行程気筒」ということがある。例えば、膨張行程で停止した気筒２Ａのことを「停止時膨張行程気筒２Ａ」といい、排気行程で停止した気筒２Ｂのことを「停止時排気行程気筒２Ｂ」といい、圧縮行程で停止した気筒２Ｃのことを「停止時圧縮行程気筒２Ｃ」といい、吸気行程で停止した停止した気筒２Ｄのことを「停止時吸気行程気筒２Ｄ」という。ただし、図４のような状態でエンジンが停止するのはあくまで一例に過ぎず、各気筒２Ａ〜２Ｄがどの行程で停止するかはその都度変わり得る。ただしその場合でも、以下に説明する制御（エンジンが自動停止した後に行われる制御）の中身は、気筒番号が異なる以外は全て同じである。
【００５９】
上記のようにしてエンジンが完全停止すると、ＥＣＵ５０の再始動制御部５２は、各種センサ値に基づいて、エンジンの再始動条件が成立しているか否かを判定する処理を実行する（ステップＳ７）。例えば、ブレーキペダル３７がリリースされたこと、アクセルペダル３６が踏み込まれたこと、エンジンの冷却水温が所定値未満になったこと、バッテリの残容量の低下量が許容値を超えたこと、エンジンの停止時間（自動停止後の経過時間）が所定の上限時間を越えたこと、エアコン作動の必要性が生じたこと（つまり車室内温度とエアコンの設定温度との差が許容値を超えたこと）等の要件の少なくとも１つが成立したときに、再始動条件が成立したと判定する。尚、この再始動条件は、一例であり、これ以外の条件を再始動条件としてもよい。
【００６０】
ステップＳ７のように、再始動条件の成立判定では、アクセルペダル３６またはブレーキペダル３７に対する操作（つまり運転者が車両を発進させようとする操作）だけでなく、バッテリやエアコン、エンジンの冷却水温、停止時間についても考慮される。例えば、バッテリの残容量が極端に少なくなったり、エンジンの停止時間が長時間に及ぶなどしてエンジンが冷えると、エンジンを再始動させることが困難になるため、そうなる前にエンジンを再始動させる必要がある。また、車室内の温度とエアコンの設定温度との差が大きくなると、快適性が損なわれるため、エアコンを稼動させるためにやはりエンジンを再始動させる必要がある。このようなシステム上の制約から、再始動条件には、バッテリやエアコン等の要件が含まれている。
【００６１】
つまり、再始動条件には、運転者の発進要求に基づくものと、発進要求に基づかないものとが含まれる。発進要求に基づく再始動条件は、運転者によるアクセル／ブレーキ操作によって成立するものであり、発進要求に基づかない再始動条件は、バッテリやエアコンの状態、もしくはエンジンの上限停止時間や冷却の程度といったシステム上の制約によって成立するものである。
【００６２】
ステップＳ７でＹＥＳと判定されて再始動条件が成立したことが確認された場合、再始動制御部５２は、再始動条件の成立が運転者の発進要求に基づくものか否かを判定する（ステップＳ８）。すなわち、運転者がアクセルペダル３６を踏み込むかまたはブレーキペダル３７をリリースしたことによって再始動条件が成立した場合には、再始動条件の成立が運転者の発進要求に基づくものであると判定し、その他の要件（バッテリやエアコン、エンジンの上限停止時間等のシステム上の制約）によって再始動条件が成立した場合には、再始動条件の成立が運転者の発進要求に基づかないものであると判定する。
【００６３】
ステップＳ８でＹＥＳと判定された場合、即ち、運転者の発進要求に基づく再始動条件が成立した場合、再始動制御部５２は、上記エンジンの自動停止に伴い圧縮行程で停止した気筒（図４の停止時圧縮行程気筒２Ｃ）のピストン停止位置を、クランク角センサＳＮ２およびカム角センサＳＮ３に基づき特定し、その特定したピストン停止位置が、図４に示す上限位置Ｘよりも下死点側に設定された所定範囲Ｒｘ（より詳しくは上限位置Ｘから下死点までの間であって上限位置Ｘを含む範囲）にあるか否かを判定する処理を実行する（ステップＳ９）。なお、上限位置Ｘは、エンジンの形状（排気量、ボア／ストローク比等）や暖機の進行度合い等によって異なり得るが、例えば上死点前（ＢＴＤＣ）９０〜７５°ＣＡの間のいずれかの位置に設定することができる。
【００６４】
一方、ステップＳ８でＮＯと判定された場合、即ち、運転者の発進要求に基づかない再始動条件が成立した場合は、再始動制御部５２は、フラグＦを２に設定する（ステップ１２）。
【００６５】
ステップＳ９でＹＥＳと判定されて停止時圧縮行程気筒２Ｃのピストン停止位置が所定範囲Ｒｘにあることが確認された場合、再始動制御部５２は、触媒温度センサＳＮ５により検出される触媒３１ａの温度が、予め設定された所定温度Ｔｘ以上であるか否かを判定する処理を実行する（ステップＳ１０）。ここで用いられる所定温度Ｔｘは、触媒３１ａが活性化しているか否かを判断するための指標であり、例えば、触媒のライトオフ温度を所定温度Ｔｘとして採用することができる。ライトオフ温度とは、触媒が浄化すべき成分の浄化率が５０パーセントに達する温度のことであり、例えば１５０〜２００℃程度に設定される。なお、所定温度Ｔｘとしては、必ずしもライトオフ温度に設定する必要はない。例えば、より触媒３１ａの性能を高いレベルに維持する観点から、ライトオフ温度よりも高い温度を所定温度Ｔｘとして設定してもよい。
【００６６】
ステップＳ１０でＹＥＳと判定された場合、つまり、触媒３１ａの温度が所定温度Ｔｘ以上であること（即ち、触媒３１ａが活性化していること）が確認された場合、再始動制御部５２は、フラグＦを１に設定する（ステップＳ１１）。
【００６７】
一方、ステップＳ１０でＮＯと判定された場合、つまり、触媒３１ａの温度が所定温度Ｔｘ未満であること（即ち、触媒３１ａが活性化していないこと）が確認された場合、再始動制御部５２は、フラグＦを２に設定する（ステッＳ１２）。
【００６８】
続いて、再始動制御部５２は、再始動制御部５２は、エンジンを始動させるべく、スタータモータ３４を作動させて、クランク軸７に回転力を付与する（ステップＳ１３）。
【００６９】
そして、再始動制御部５２は、フラグＦが１であるか否かを判定する（ステップＳ１４）。フラグＦが１である場合には、再始動制御部５２は、図５に示すように、停止時圧縮行程気筒２Ｃが圧縮上死点を迎える１圧縮目から混合気の燃焼を開始する１圧縮始動を実行する（ステップＳ１５）。具体的には、再始動制御部５２は、停止時圧縮行程気筒２Ｃのピストン５が上昇している途中で（圧縮上死点に至る前に）、当該気筒２Ｃに対しインジェクタ１５から燃料を噴射させる（Ｆ１）。以下、この最初の燃料噴射を第１燃料噴射と称し、それに続く燃料噴射を順次、第２燃料噴射、第３燃料噴射、…と称する。そして、第１燃料噴射Ｆ１により気筒２Ｃ内に供給された燃料と空気との混合気をピストン５の圧縮に伴い自着火させることにより、エンジン全体として１回目の上死点を迎える１圧縮目からＨＣＣＩ燃焼を行わせる。
【００７０】
このとき、再始動制御部５２は、目標当量比φを１．０に設定し、該目標当量比φに応じた燃料量を第１燃料噴射Ｆ１によって気筒内に供給する。当量比φとは、混合気の理論空燃比を実空燃比で割った値のことであり、理論空燃比に相当する量（気筒内の空気に対して過不足ない量）の燃料が噴射されたときにφ＝１となり、それより少ない量の燃料が噴射されたときにφ＜１となる。つまり、ステップＳ１５においては、理論空燃比に相当する量の燃料が第１燃料噴射Ｆ１により供給される。
【００７１】
また、第１燃料噴射Ｆ１の噴射タイミングは、自着火の燃焼の燃焼重心のクランク各位置が圧縮上死点以降の所定時期となるように設定されている。所定時期は、膨張行程初期（例えば、膨張行程を３分割したときの始めの期間）に設定し得る。
【００７２】
続いて、停止時吸気行程気筒２Ｄ、停止時排気行程気筒２Ｂ、停止時膨張行程気筒２Ａに対し、それぞれの気筒の圧縮行程中に第２〜第４燃料噴射Ｆ２〜Ｆ４を実行し、それに基づき各気筒で順次ＨＣＣＩ燃焼を行わせる。このときの目標当量比φは１．０に設定されている。また、第２〜第４燃料噴射Ｆ２〜Ｆ４の各噴射タイミングも、第１燃料噴射Ｆ１と同様に、自着火の燃焼の燃焼重心のクランク各位置が圧縮上死点以降の所定時期となるように設定されている。
【００７３】
一方、フラグＦが１でない場合、即ち、フラグＦが２の場合には、再始動制御部５２は、図６に示すように、停止時圧縮行程気筒２Ｃが圧縮上死点を迎える１圧縮目からではなく、吸気行程で停止していた停止時吸気行程気筒２Ｄが圧縮上死点を迎える２圧縮目から混合気の燃焼を開始する２圧縮始動を実行する（ステップＳ１６）。具体的には、再始動制御部５２は、停止時吸気行程気筒２Ｄのピストン５が一旦下降してから上昇に転じて圧縮上死点に至るまで、スタータモータ３４の駆動力のみによってクランク軸７を回転させるとともに、停止時吸気行程気筒２Ｄのピストン５が上昇している途中で（圧縮上死点に至る前に）、当該気筒２Ｄに対しインジェクタ１５から燃料を噴射させる（Ｆ１’）。そして、第１燃料噴射Ｆ１’により気筒２Ｄ内に供給された燃料と空気との混合気をピストン５の圧縮に伴い自着火させることにより、エンジン全体として２回目の上死点を迎える２圧縮目からＨＣＣＩ燃焼を行わせる。このＨＣＣＩ燃焼が最初の燃焼となるので、停止時吸気行程気筒２Ｄが初爆気筒となる。
【００７４】
このとき、再始動制御部５２は、目標当量比φを１．０に設定し、該目標当量比φに応じた燃料量を第１燃料噴射Ｆ１’によって気筒内に供給する。つまり、ステップＳ１６においては、理論空燃比に相当する量の燃料が第１燃料噴射Ｆ１’により供給される。
【００７５】
また、第１燃料噴射Ｆ１’の噴射タイミングは、自着火の燃焼の燃焼重心のクランク各位置が圧縮上死点以降の所定時期となるように設定されている。
【００７６】
続いて、停止時排気行程気筒２Ｂ、停止時膨張行程気筒２Ａ、停止時圧縮行程気筒２Ｃに対し、それぞれの気筒の圧縮行程中に第２〜第４燃料噴射Ｆ２’〜Ｆ４’を実行し、それに基づき各気筒で順次ＨＣＣＩ燃焼を行わせる。このときの目標当量比φは１．０に設定されている。また、第２〜第４燃料噴射Ｆ２’〜Ｆ４’の各噴射タイミングは、第１燃料噴射Ｆ１’と同様に、自着火の燃焼の燃焼重心のクランク各位置が圧縮上死点以降の所定時期となるように設定されている。
【００７７】
再始動制御部５２は、１圧縮始動又は２圧縮始動を実行した後、即ち、最初のＨＣＣＩ燃焼があった後、エンジン回転速度が所定の第１速度Ｎｅ１以上か否かを判定する（ステップＳ１７）。エンジン回転速度が第１速度Ｎｅ１未満である場合は、再始動制御部５２は、エンジン回転速度が第１速度Ｎｅ１以上となるまで、各気筒における目標当量比φ＝１．０での燃料噴射及び燃焼を継続する。
【００７８】
エンジン回転速度が第１速度Ｎｅ１以上の場合は、再始動制御部５２は、スタータモータ３４の作動を停止する（ステップＳ１８）。例えば、図５，６の例では、２回目の燃焼後にエンジン回転速度が第１速度Ｎｅ１以上となるので、このタイミングでクランキングが終了する。
【００７９】
その後、再始動制御部５２は、目標当量比φ＝１．０での燃料噴射及び燃焼を継続しつつ、エンジン回転速度が所定の第２速度Ｎｅ２以上か否かを判定する（ステップＳ１９）。エンジン回転速度が第２速度Ｎｅ２未満である場合は、再始動制御部５２は、エンジン回転速度が第２速度Ｎｅ２以上となるまで、目標当量比φ＝１．０での燃料噴射及び燃焼を継続する。
【００８０】
エンジン回転速度が第２速度Ｎｅ２以上である場合は、再始動制御部５２は、エンジンの始動が完了したと判定する。再始動制御部５２は、フラグをリセット（即ち、フラグを０に設定）して（ステップＳ２０）、自動停止・再始動制御を終了する。
【００８１】
尚、ＥＣＵ５０は、エンジンの再始動後は、エンジンの吹き上がりを抑制するために目標当量比φを低下させる。
【００８２】
以上説明したように、ＥＣＵ５０は、状況に応じて再始動の仕方を変えている。具体的には、フラグＦが１の場合には、１圧縮始動が実行される。すなわち、フラグＦが１の場合は、発進要求に基づく再始動条件が成立し且つ、停止時圧縮行程気筒２Ｃのピストン停止位置が所定範囲Ｒｘ内であり且つ、触媒温度が所定温度Ｔｘ以上の場合である。発進要求に基づく再始動条件が成立している場合には、発進要求に基づかない再始動条件が成立している場合に比べて、迅速なエンジン始動の必要性が高い。停止時圧縮行程気筒２Ｃのピストン停止位置が所定範囲Ｒｘ内である場合は、１圧縮始動の実行が可能である。そして、触媒温度が所定温度Ｔｘ以上である場合は、触媒３１ａの活性状態が高い。つまり、迅速なエンジン始動の必要性が高く、１圧縮始動を実行可能であり、触媒３１ａの活性状態が高いときは、１圧縮始動を行うことによってエンジンを迅速に始動する。
【００８３】
ただし、１圧縮始動では停止時圧縮行程気筒２Ｃから燃焼が実行される。停止時圧縮行程気筒２Ｃでは、ピストンが圧縮下死点と圧縮上死点との間に停止しているため、圧縮容積が小さくなる傾向にある。圧縮容積が小さいと、圧縮端における気筒内温度が低くなり、燃焼温度が低くなる。そのため、１圧縮始動ではＨＣ，ＣＯの発生量が増加する傾向にある。
【００８４】
詳しくは、図７は、縦軸に混合気の当量比φを横軸に混合気の燃焼温度Ｔをとったグラフ上に、ＨＣ，ＣＯ，ＮＯｘ，スートの発生量が多くなる領域を図示したものであり、いわゆるφ−Ｔマップである。このマップに示されるように、燃焼温度の低い領域（グラフの左側）では、ＨＣ，ＣＯが増大する。また、ＮＯｘは主に燃焼温度が高い領域（グラフの右側）で増大し、スートは主に当量比φの大きいリッチ領域（グラフの上側）で増大する。そのため、ＨＣ，ＣＯ，ＮＯｘ，スートの発生を抑制するために、当量比φが概ね１．０以下で且つ燃焼温度が中間程度の値になる目標燃焼領域（図中のハッチング領域）が設定される。そして、燃焼ができる限り目標燃焼領域内行われるように制御される。前述の如く、停止時圧縮行程気筒２Ｃで燃焼を実行することで燃焼温度が低くなると、ＨＣ，ＣＯが増大する虞がある。
【００８５】
しかし、フラグＦが１のときは触媒３１ａの活性状態が高いので、ＨＣ，ＣＯを触媒３１ａで適切に浄化することができる。つまり、エンジン全体のエミッション性能を悪化させることなく、エンジンの迅速な始動を実現することができる。
【００８６】
一方、フラグＦが２の場合には、２圧縮始動が実行される。フラグＦが２の場合は、発進要求に基づかない再始動条件が成立する場合か、停止時圧縮行程気筒２Ｃのピストン停止位置が所定範囲Ｒｘ外である場合か、又は、触媒温度が所定温度Ｔｘ未満の場合である。発進要求に基づかない再始動条件が成立する場合は、エンジンを迅速に始動する必要性が低い。停止時圧縮行程気筒２Ｃのピストン停止位置が所定範囲Ｒｘ外である場合は、１圧縮始動を行うことが困難である。触媒温度が所定温度Ｔｘ未満の場合は、ＨＣ，ＣＯを浄化する能力が低い。そのため、これらの場合には２圧縮始動を実行する。２圧縮始動では、停止時圧縮行程気筒２Ｃでの燃焼は行わず、停止時吸気行程気筒２Ｄから燃焼が開始される。そのため、最初の燃焼から圧縮容積が十分に確保され、燃焼温度が高くなる。燃焼温度が高いと、ＨＣ，ＣＯの発生量を抑制することができる。また、停止時吸気行程気筒２Ｃ中のガスは、エンジン本体１の熱で温められている。さらに、エンジンの停止中には、吸気ポート９及び吸気通路２８中の新気もエンジン本体１の熱で温められている。再始動時に停止時吸気行程気筒２Ｄに吸入される新気は、こうして温められた新気である。つまり、停止時吸気行程気筒２Ｄ中のガスの温度は、比較的高い。このことによっても、停止時吸気行程気筒２Ｄの燃焼温度は高くなる。こうして、燃焼温度の低い停止時圧縮行程気筒２Ｃでの燃焼を回避し、燃焼温度の高い停止時吸気行程気筒２Ｄから燃焼を開始することによって、ＨＣ，ＣＯの発生量を低減することができる。
【００８７】
尚、停止時圧縮行程気筒２Ｃは、新気の量が少ないので燃料量も少なく、その結果、発生する熱量も少ない。つまり、ＨＣ，ＣＯの発生量を低減すべく、停止時圧縮行程気筒２Ｃでの燃焼を回避したとしても、触媒３１ａの活性化に与える影響は比較的小さい。それよりも、停止時圧縮行程気筒での燃焼を行わないことによる、エミッション性能の向上の効果の方が大きい。  こうして、触媒３１ａの活性状態に応じて１圧縮始動と２圧縮始動とを切り替えることによって、エンジンの迅速始動とエミッション性能の向上との両立を図ることができる。
【００８８】
したがって、本実施形態によれば複数の気筒２Ａ〜２Ｄと、クランク軸７を回転させるスタータモータ３４と、該気筒２Ａ〜２Ｄのそれぞれに燃料を噴射するインジェクタ１５と、酸化機能を有し、該気筒２Ａ〜２Ｄから排出されるガスを浄化する触媒３１ａとを有するエンジンの始動制御装置（ＥＣＵ５０）は、所定の自動停止条件が成立したときに前記エンジンを自動停止させる一方、自動停止後に所定の再始動条件が成立したときに前記スタータモータ３４により前記クランク軸７を回転させつつ前記インジェクタ１５による燃料噴射を行うことによって該エンジンを再始動させる自動停止制御部５１及び再始動制御部５２を備え、前記自動停止制御部５１及び再始動制御部５２は、前記エンジンの再始動の際に前記触媒３１ａの活性状態が所定の活性状態よりも高いときには、前記複数の気筒２Ａ〜２Ｄのうち自動停止時に圧縮行程にある気筒（停止時圧縮行程気筒２Ｃ）から燃焼を開始させ（ステップＳ１０，Ｓ１１，Ｓ１５）、前記エンジンの再始動の際に前記触媒３１ａの活性状態が前記所定の活性状態よりも低いときには、前記複数の気筒２Ａ〜２Ｄのうち自動停止時に吸気行程にある気筒（停止時吸気行程気筒２Ｄ）から燃焼を開始させる（ステップＳ１０，Ｓ１２，Ｓ１６）。
【００８９】
この構成によれば、触媒３１ａの活性が高いときには、再始動時に最初に圧縮行程を行う気筒から燃焼を開始させるので、エンジンを迅速に始動させることができる。このとき、ＨＣ，ＣＯの発生量が増加する傾向にあるものの、触媒３１ａの活性が高いのでエミッション性能の悪化を防止することができる。一方、触媒３１ａの活性が低いときには、停止時圧縮行程気筒２Ｃでの燃焼を回避して、停止時吸気行程気筒２Ｄから燃焼を開始させるので、ＨＣ，ＣＯの発生を抑制することができる。その結果、エンジンの迅速始動とエミッション性能の向上との両立を図ることができる。  また、前記エンジンは、前記気筒内の混合気を圧縮着火させるように構成されており、圧縮着火による燃焼の燃焼重心のクランク角位置は、圧縮上死点以降に設定されている。
【００９０】
この構成によれば、気筒２Ａ〜２Ｄにおける燃焼は自着火によるものである。自着火による燃焼では、燃焼エネルギのピークが比較的大きくなる。そのため、圧縮容積の小さい停止時圧縮行程気筒２Ｃから燃焼を開始させる場合であっても、再始動時の出力トルクを確保することができる。
【００９１】
また、前記自動停止制御部５１及び再始動制御部５２は、前記エンジンの再始動の際に前記触媒３１ａの活性状態が前記所定の活性状態よりも高いときであって且つ自動停止時に圧縮行程にある前記気筒のピストン停止位置が所定のクランク角位置（上限位置Ｘ）か又は該所定のクランク角位置よりも圧縮下死点側に位置するときに、自動停止時に圧縮行程にある該気筒から燃焼を開始させ（ステップＳ９，Ｓ１１，Ｓ１５）、前記エンジンの再始動の際に前記触媒３１ａの活性状態が前記所定の活性状態よりも高いときであって且つ自動停止時に圧縮行程にある前記気筒のピストン停止位置が前記所定のクランク角位置よりも圧縮上死点側に位置するときには、自動停止時に吸気行程にある前記気筒から燃焼を開始させる（ステップＳ９，Ｓ１２，Ｓ１６）。
【００９２】
前記の構成によれば、最初に圧縮行程を行う気筒において燃焼を実行するのに十分な圧縮容積が確保できない場合には、触媒３１ａの活性状態にかかわらず、１圧縮始動を行うことなく、２圧縮始動を行う。
【００９３】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、上記実施形態で説明した各構成要素を組み合わせて、新たな実施の形態とすることも可能である。また、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９４】
前記実施形態について、以下のような構成としてもよい。
【００９５】
前記実施形態では、１圧縮始動及び２圧縮始動における目標当量比φを１．０に設定しているが、これに限られるものではない。例えば、１圧縮始動時には、第１燃料噴射Ｆ１の目標当量比φを、第２燃料噴射Ｆ２の目標当量比φよりも低く、例えば、０．３に設定してもよい。図７に示すように、ＨＣ，ＣＯの発生量は、当量比φが小さい領域（例えば、当量比φが０．５以下の領域）においては、当量比φが小さくなるほど少なくなっている。そのため、目標燃焼領域のうち当量比φが小さい部分は、燃焼温度が低い方へ拡大されている。つまり、燃焼温度が低い停止時圧縮行程気筒２Ｃにおける燃焼では、当量比φを低減することによって、ＨＣ，ＣＯの発生自体を低減することができる。これにより、エンジン全体のエミッション性能をさらに向上させることができる。
【００９６】
尚、停止時圧縮行程気筒２Ｃに続く、停止時吸気行程気筒２Ｄ、停止時排気行程気筒２Ｂ、停止時膨張行程気筒２Ａは、圧縮容積を十分に確保でき、燃焼温度が高いので、目標当量比φを１．０に設定してもよい。これにより、２番目の燃焼以降は、出力トルクを向上させることができる。
【００９７】
また、図８は、混合気の当量比φと、触媒３１ａを通過する前の排気ガス中に含まれるＨＣ，ＣＯ，ＮＯｘの濃度（ｐｐｍ）との関係の一例を示すグラフである。このグラフによれば、ＨＣ，ＣＯ，ＮＯｘの濃度が平均的に低くエミッション性能に優れているといえる当量比φは、０．３または０．４である。当量比φが０．４を超えて０．５になるとＮＯｘ濃度が１０００ｐｐｍを超え、当量比φが０．７になるとＮＯｘ濃度が１００００ｐｐｍを超える。さらに、図示を省略するが、当量比φが０．７を超える範囲では、０．７のときの値よりもさらにＮＯｘ濃度が上昇する。一方、当量比φが０．３を下回り０．２になると、ＣＯ濃度が１００００ｐｐｍを超える。このように、当量比φが０．２または０．４以上のときにはＣＯまたはＮＯｘの濃度が大幅に上昇するのに対し、当量比φが０．３または０．４のときは、ＨＣ，ＣＯ，ＮＯｘのいずれについても、その濃度が１０００ｐｐｍ未満に抑えられる。
【００９８】
このグラフからも、当量比φを０．３に設定することによって、ＨＣ，ＣＯ，ＮＯｘの発生を低減できることがわかる。
【００９９】
また、前記実施形態では、触媒温度センサＳＮ５を用いて触媒３１ａの温度を直接検出し、その検出した温度を閾値Ｔｘと比較することで触媒３１ａの活性状態を判断するようにしたが、このような構成に代えて、触媒３１ａの温度を予測するようにしてもよい。例えば、触媒３１ａの上流側を流れる排気ガスの温度を検出し、その検出値を蓄積することで得られるエンジン運転中の排気ガス温度の履歴や、エンジンの停止時間などから、触媒３１ａの温度を予測により求めるようにしてもよい。
【０１００】
また、前記実施形態では、エンジンの自動停止条件または再始動条件の成立を、アクセルペダル３６やブレーキペダル３７の操作に関する要件を含めて判断するようにしたが、これは、主に自動変速機を搭載したＡＴ車を念頭に入れたものである。一方、ＡＴ車でない場合、つまり、手動変速機を搭載したＭＴ車である場合は、上記とは異なる要件を採用することができる。例えば、自動停止条件に関しては、アクセルＯＦＦかつブレーキＯＮという要件に代えて、手動変速機の変速段がニュートラルであり、かつクラッチペダルがリリースされていること、という要件を設定することができる。また、再始動条件に関しては、アクセルＯＮまたはブレーキＯＦＦという要件に代えて、クラッチペダルが踏み込まれていること、という要件を設定することができる。この場合、クラッチペダルが踏み込まれたことは、発進要求に基づく再始動条件である。
【０１０１】
前記実施形態では、再始動条件の種類、停止時圧縮行程気筒２Ｃのピストン停止位置、および触媒３１ａの温度に基づいて、再始動時の制御内容を変更しているが、これに限られるものではない。例えば、再始動条件の種類、停止時圧縮行程気筒２Ｃのピストン停止位置にかかわらず、触媒３１ａの活性状態のみに基づいて１圧縮始動と２圧縮始動とを切り替えてもよい。  さらには、再始動条件の種類、停止時圧縮行程気筒２Ｃのピストン停止位置、および触媒３１ａの温度以外の条件を考慮して再始動時の制御内容を変更してもよい。
【産業上の利用可能性】
【０１０２】
以上説明したように、ここに開示された技術は、多気筒エンジンの始動制御装置について有用である。
【符号の説明】
【０１０３】
１        エンジン本体
１５      インジェクタ
２Ａ〜２Ｄ    気筒
３４      スタータモータ
３１ａ    触媒
５        ピストン
７        クランク軸
５０      ＥＣＵ（始動制御装置）
５１      自動停止制御部（制御部）
５２      再始動制御部（制御部）
【図１】
2015048826.tif 000003
【図２】
2015048826.tif 000004
【図３】
2015048826.tif 000005
【図４】
2015048826.tif 000006
【図５】
2015048826.tif 000007
【図６】
2015048826.tif 000008
【図７】
2015048826.tif 000009
【図８】
2015048826.tif 000010